(57)【要約】【課題】子供が浴槽内に落ちることのない強度があるシャッター式風呂蓋を、片手で簡単に収納・引き出しができ、浴室内の邪魔にならない場所に、外観の良いスリムな形状で、風呂蓋についた水滴がバスタブに流れ込むことなく、さらに風呂蓋が          乾燥しやすい収納形態とした風呂蓋収納装置を提供すること。【解決手段】子供が浴槽内に落ちることのない強度があるシャッター式風呂蓋１１を、浴槽２短辺側の浴槽上部の浴室壁面３沿いに吊り下げた形態で収納し、浴室壁面３からの突出を抑え、壁の一部としてとらえられるスリムな面的形状の風呂蓋収納装置４。さらにこの装置内は、ウエイト６による重力を風呂蓋を巻き取る力として利用した巻取り装置５により、片手で簡単に風呂蓋１１の収納・引き出しができる風呂蓋収納装置４。  【選択図】図１
2006000246.tif 000002
【特許請求の範囲】
【請求項１】
子供が浴槽内に落ちることのない強度があるシャッター式風呂蓋１１を、ウエイト６と巻取り装置５により、片手で簡単に収納・引き出しができる機能を備え、浴槽２短辺側の浴槽上部の浴室壁面３沿いに吊り下げた状態で収納するスリム形状の風呂  蓋収納装置４。
【発明の詳細な説明】
【技術分野】
【０００１】
この発明は、浴室の風呂蓋を開閉する装置とその風呂蓋を収納する装置に関するものである。
【背景技術】
【０００２】
従来、浴室で使用される風呂蓋は、複数に分割された平板状の蓋か、シャッター式（巻き取り式）の蓋がほとんどである。複数の平板状風呂蓋の場合、取り外しは蓋一枚一枚を両手で持ち上げ、浴槽上部壁面か洗い場壁面に立て掛けとしている。また蓋をする場合は蓋一枚一枚を両手で持ち上げ、並べている。また、シャッター式風呂蓋の場合、取り外しは、蓋を転がし巻取り、両手で抱え、浴槽上部の隅か洗い場の隅に立て置きとし、蓋をする場合は、巻かれた蓋を両手で抱え、浴槽上部に置き、ころがし広げている。
【０００３】
この改善策として特開２００２−９５５９号は平板状の蓋を片手で持ちやすくしたもの、特開２０００−７９０６８号はシャッター式の蓋を巻き取り収納するもの、特開平１０−２８６５４号はシート状の蓋を使用し、コンパクトな収納としたもの等が考案されている。
【特許文献１】特開２００２−９５５９号公報
【特許文献２】特開２０００−７９０６８号公報
【特許文献３】特開平１０−２８６５４号公報
【発明の開示】
【発明が解決しようとする課題】
【０００４】
上記の従来の構成では、次のような課題がある。
（イ）入浴する際に取り外した風呂蓋の適する置き場所がない。
取り外した風呂蓋を洗い場に置く場合は、洗い場が狭くなってしまう。体を洗う時に石鹸が付くなど汚れてしまう。浴槽上部に置く場合は、浴槽上部が狭苦しくなる。また入る場所が制限される。風呂蓋についた水滴が浴槽内に流れ込むといった難点がある。いずれの置き方も人や物がぶつかると倒れたり落ちたりする可能性があり、安全性に欠ける。また、とりあえず置いている状態であり、見た目において雑然とした景色となっている。
（ロ）収納状態の風呂蓋は、乾燥しにくい。
取り外した風呂蓋は、重ねた状態で壁に立て掛けとしたものか、巻き込んだ状態で立て置きとしたものである。取り外した蓋には水滴が付いているため、蓋の重なり、または、巻き込みの形態では乾燥しにくく、カビ発生の要因となっている。
（ハ）風呂蓋の開閉に労力を要している。
風呂蓋の開閉には、両手を使用し、かがんだ状態で持ち上げ、抱え、持ち運ばなければならない。高齢者や障害者には腰をかがめての作業はつらい作業であり、作業性に欠けている。
（ニ）特開２００２−９５５９号は蓋を片手で持ちやすくしたものであるが、最終的には、持ち上げなければならず、片手で持つには重い。また蓋は壁に立て掛けとなり、景観面が考慮されていない。
（ホ）特開２０００−７９０６８号はシャッター式の蓋を巻き取り収納するものであるが、この蓋を巻き取った形状は直径約３０ｃｍとなり、この収納装置の置き場所がない。また巻き込みの形態では乾燥しにくく、カビ発生の要因となっている。
（ヘ）特開平１０−２８６５４号はシート状の蓋を使用し、浴槽上部の端に設置可能なコンパクトな収納としたものであるが、蓋の強度がないため子供等が浴槽に落ちる可能性があり、安全性に欠ける。
【０００５】
そこでこの発明は、入浴する際に取り外した強度ある風呂蓋を、邪魔にならず安全で、風呂蓋についた水滴が浴槽内に流れ込むことなく、乾燥しやすい形態で収納する、外観の良いスリム形状の風呂蓋収納装置、また、誰もが片手で簡単に収納・引き出しができる開閉装置を提供することである。
【課題を解決するための手段】
【０００６】
上記課題を解決するための発明は、子供が浴槽内に落ちることのない強度があるシャッター式風呂蓋１１を、ウエイト６と巻取り装置５により、片手で簡単に収納・引き出しができ、浴槽２短辺側の浴槽上部の浴室壁面３沿いに、浴室壁面３からの突出を抑え、壁の一部としてとらえられるスリムな面的形状の収納装置に、吊り下げた形態で収納する風呂蓋収納装置４。
【発明の効果】
【０００７】
本発明は上記のように、子供が浴槽内に落ちることのない強度があるシャッター式風呂蓋を、邪魔にならず安全で、風呂蓋についた水滴が浴槽内に流れ込むことなく、乾燥しやすい形態で収納し、さらに見た目も壁の一部としてとらえられるスリムで面的な外観とすることは、浴室における行為（体を洗う、入浴する等）を不自由なく行え、見た目もスッキリとしたものとなる。また、風呂蓋の収納・引き出し作業が、誰もが片手で簡単にできるものとなり、これまでの労力の負担を軽減するものとなる。
【発明を実施するための最良の形態】
【０００８】
以下、実施の形態を示す図面に基づき、本発明を詳説する。図１は浴槽２短辺側の浴槽上部の浴室壁面３沿いに風呂蓋収納装置４を設け、この装置４に風呂蓋１１を納めた状態の斜視図である。図２は図１に対し、風呂蓋１１を引き出し、蓋をした状態の斜視図である。図１、図２、図３で示すように、この装置は浴室壁３からの突出を抑えたスリムな形状、また壁の一部としてとらえられるような面的な形状とし、浴室利用において、じゃまにならない配置、収まりとしたものである。またこの配置は、風呂蓋１１の収納や引き出し作業においても、無駄のない配置である。
【０００９】
風呂蓋収納装置４は、巻取り装置５、ウエイト６、速度調整装置７、風呂蓋出口カバー８、サイドカバー９、扉１０、風呂蓋１１、その他付属品から成る。
【００１０】
巻取り装置５は、ウエイト６による重力を巻き取る力として利用した装置である。構成は巻取りカバー１２の両端に固定軸１３、この固定軸１３に巻取り軸１４を渡す。巻取り軸１４に風呂蓋用の巻取りリング１５とウエイト用の巻取りリング１６を固定、これにステンレス製巻取りテープ１７の一端を固定したもの。また、これらの保護及び外観化粧カバーとして、巻取り装置カバー１２を設けたものである。
【００１１】
ウエイト６は、ステンレス製巻取りテープ１７の一端に連結し、巻取り装置５の動きに連動する。ウエイト６の重量は、風呂蓋１１を引き出し、蓋をした時に、風呂蓋１１が浴槽２上部に接する摩擦で止まった状態となる程度の重さとする。形状は長辺を長く、板厚を薄くした板状とする。
【００１２】
速度調整装置７は、摩擦抵抗により巻取り軸１４の回転速度を抑制する装置であり、これにより風呂蓋１１の収納速度が調整される。この装置７は巻取り軸１４の端部に設け、サイドカバー９ａに設けた操作ボックス１８と操作ワイヤー１９でつなぎ、このボックス１８のつまみで操作する。
【００１３】
風呂蓋出口カバー８は、風呂蓋１１の収納、引き出し位置を定める。内部に設けた補助ローラー２０により収納、引き出しをスムーズにする。内部に設けた水滴取りブラシ２１、水流入防止材２２、側面に設けた水抜穴２３により、風呂蓋１１についた水滴を落とし、浴槽上部の壁面３沿いに流し、排水する。さらにこのカバー８上部に設ける扉１０を支えるものである。
【００１４】
サイドカバー９は風呂蓋収納装置４の保護と外観化粧カバーとして設け、サイドカバー９ａは側面であるため、コーナーを曲面形状とし、触れても安全な形状のものとする。
【００１５】
扉１０は維持管理を考慮し、風呂蓋収納装置４内部の掃除が容易にできるものとして設け、両開きの扉とする。また、風呂蓋収納装置４内部が乾燥しやすいものとして、扉に穴を設け、通気面積を広く確保した扉とする。
【００１６】
風呂蓋１１は子供等が浴槽に落ちることのない強度を持ったシャッター式の風呂蓋とし、吊り下げ側端部は吊り下げ金具２４を設け、ステンレス製巻取りテープ１７に連結できるものとする。引き出し側端部は収納時に風呂蓋収納装置４内に入り込まないものとして、風呂蓋出口の開口高より高さのあるストッパー２５を設ける。またこのストッパー２５には、引き出しやすいものとして、取手２６を設ける。この取手２６は上下収納式とし、じゃまにならないものとする。風呂蓋１１はステンレス製巻取りテープ１７にスプリングフック２７で連結する。スプリングフック２７による連結は風呂蓋１１の脱着を容易にし、風呂蓋１１の管理が行い易いものとする。
【００１７】
その他付属品は、ウエイト６と風呂蓋１１が接することなく、これらがスムーズに上下するものとしてのすべり棒２８、風呂蓋巻上げを補う補助ローラー２９、扉１０を閉じた状態とする固定金具３０であり、風呂蓋収納装置４における補助的な部品である。
【００１８】
風呂蓋収納装置４の操作を説明する。風呂蓋１１の収納は、風呂蓋１１の取手２６を持ち、風呂蓋１１を浴槽２上部から浮かすように持ち上げ、収納する方向に軽く押し込む。ウエイト６の重力により、常に風呂蓋１１を巻き上げる方向に力がかかった状態であるため、この少しの押し込み力により、ウエイト６が下がる。これにより巻取り軸１４、巻取りリング１５が回転し、風呂蓋１１と連結したステンレス製巻取りテープ１７が巻き上がる。同時に風呂蓋１１が引き上げられ、ストッパー２５が風呂蓋出口カバー８に当たり動きが止まる。風呂蓋１１は吊り下がった形態で収納が完了する。風呂蓋１１が収納しはじめると、取手２６に手を添えて移動するだけの作業となる。引き出しは、風呂蓋１１の取手２６を持ち、浮かしながら引き出す方向に歩き、引き出し、浴槽２の上に蓋１１を置き完了する。この引き出しにより、風呂蓋１１に連結したステンレス製巻取りテープ１７は巻取りリング１５を回転させながら延びる。この回転により、ウエイト６を連結したステンレス製巻取りテープ１７が巻き上がり、ウエイト６が吊り上がる。
【図面の簡単な説明】
【００１９】
【図１】本発明装置に風呂蓋を納めた状態の斜視図
【図２】本発明装置から風呂蓋を引き出し、蓋をした状態の斜視図
【図３】本発明装置の側面図
【図４】本発明装置の内部斜視図
【図５】本発明装置の内部正面図
【図６】本発明装置の風呂蓋収納時の断面図
【符号の説明】
【００２０】
１    浴室
２    浴槽
３    浴槽短辺側の壁
４    風呂蓋収納装置
５    巻取り装置
６    ウエイト
７    速度調整装置
８    風呂蓋出口カバー
９    サイドカバー
１０    扉
１１    風呂蓋
１２    巻取りカバー
１３    固定軸
１４    巻取り軸
１５    風呂蓋用巻取りリング
１６    ウエイト用巻取りリング
１７    ステンレス製巻取りテープ
１８    操作ボックス
１９    操作ワイヤー
２０    補助ローラー
２１    水滴取りブラシ
２２    水流入防止材
２３    水抜穴
２４    吊り下げ金具
２５    ストッパー
２６    取手
２７    スプリングフック
２８    すべり棒
２９    補助ローラー
３０    固定金具
３１    窓
【図１】
2006000246.tif 000003
【図２】
2006000246.tif 000004
【図３】
2006000246.tif 000005
【図４】
2006000246.tif 000006
【図５】
2006000246.tif 000007
【図６】
2006000246.tif 000008